(57)【要約】本発明は受信機に関する。さらに詳しくは、改良されたダイバーシティ受信機に関する。マルチパス反射、シャドウイングなどを受けるいくつかの環境において、いくつかの搬送波は低出力で受信され得る。この場合に、ダイバーシティ受信機は約３ｄＢ〜６ｄＢの改善を提供し得るものであり、後者の図は通信チャネルがシビアなマルチパスフェーディングのもとで、かつ移動受信における場合を説明している。ダイバーシチ受信機は、２または３以上の別々の受信機またはダイバーシティ・ブランチを備え、それぞれ専用のアンテナをもっていることが有効である。それぞれのダイバーシティ・ブランチから受信された搬送波のそれぞれのセットは結合される。本発明はマルチ搬送波信号を受信するための改良された方法および装置を提供する。
2004502327.tif 000002
【特許請求の範囲】
【請求項１】
各々がマルチ搬送波信号からデータおよび基準信号を抽出すべく作動可能であり、これにより抽出されたデータおよび基準信号の第１および第２のセットを生成する第１および第２のダイバーシティ・ブランチを有する、データおよび基準信号を伝送するマルチ搬送波信号を受信するための受信機であって、
抽出された基準信号の各セットから、抽出された基準信号の信頼性の推定値を決定するためのプロセッサと、
決定された推定値にしたがって、抽出されたデータ信号の第１および第２のセットからのデータ信号を結合させるためのコンバイナとを備える受信機。
【請求項２】
前記プロセッサが、抽出された基準信号の各セットの信頼性の推定値を計算プロセスによって決定する請求項１記載の受信機。
【請求項３】
前記プロセッサが、抽出された基準信号の各セットからの隣接する基準信号を使用して推定値を計算する請求項２記載の受信機。
【請求項４】
前記計算に使用される隣接する基準信号の数が１ないし７である請求項３記載の受信機。
【請求項５】
前記計算プロセスは基準信号の中央値を決定する請求項２、３または４記載の受信機。
【請求項６】
前記計算プロセスは基準信号の平均値を決定する請求項２、３または４記載の受信機。
【請求項７】
前記コンバイナは、結合に先立って抽出された各データ信号に加重を行なう請求項１、２、３、４、５または６記載の受信機。
【請求項８】
前記コンバイナは、基準信号の各セットの決定された信頼性の差分が予め決められたしきい値を上回る場合には、抽出されたデータ信号の第１および第２のセットを第１の方法で結合し、かつ基準信号の各セットの決定された信頼性の差分が予め決められたしきい値を下回る場合には、抽出されたデータ信号の第１および第２のセットを第２の方法で結合する請求項１、２、３、４、５、６または７記載の受信機。
【請求項９】
前記結合の第１の方法は最大比率結合（ＭＲＣ）である請求項８記載の受信機。
【請求項１０】
前記結合の第１の方法は等利得結合（ＥＧＣ）である請求項８記載の受信機。
【請求項１１】
前記結合の第２の方法は、信号選択によるものである請求項８、９または１０記載の受信機。
【請求項１２】
前記プロセッサはフィルタである請求項１、２、３、４、５、６、７、８、９、１０または１１記載の受信機。
【請求項１３】
少なくとも３つの前記ダイバーシティ・ブランチを備える請求項１、２、３、４、５、６、７、８、９、１０、１１または１２記載の受信機。
【請求項１４】
直交周波数分割多重（ＯＦＤＭ）信号を受信するように適合化された先行する任意の請求項１、２、３、４、５、６、７、８、９、１０、１１、１２または１３記載の受信機。
【請求項１５】
各々がマルチ搬送波信号からデータおよび基準信号を抽出すべく作動可能であり、これにより抽出されたデータおよび基準信号の第１および第２のセットを生成する第１および第２のダイバーシティ・ブランチを有する受信機でデータおよび基準信号を伝送するマルチ搬送波信号を受信する方法であって、
抽出された基準信号の各セットから、抽出された基準信号の信頼性の推定値を決定することと、
決定された推定値にしたがって、抽出されたデータ信号の第１および第２のセットからのデータ信号を結合させることを含む方法。
【請求項１６】
前記推定値を決定する工程は、計算プロセスによって推定値を決定することを含む請求項１５記載の方法。
【請求項１７】
前記決定する工程は、抽出された基準信号の各セットからの隣接する基準信号を使用して推定値を計算することをさらに含む請求項１６記載の方法。
【請求項１８】
前記決定する工程は、１ないし７個の隣接する基準信号を使用して推定値を決定することを含む請求項１７記載の方法。
【請求項１９】
前記決定する工程は、基準信号の中央値を決定することを含む請求項１７または１８記載の方法。
【請求項２０】
前記決定する工程は、基準信号の平均値を決定することを含む請求項１７または１８記載の方法。
【請求項２１】
結合に先立って抽出された各データ信号に加重を行なうことをさらに含む請求項１５、１６、１７、１８、１９または２０記載の方法。
【請求項２２】
前記結合する工程は、基準信号の各セットの決定された信頼性の差分が予め決められたしきい値を上回る場合には、抽出されたデータ信号の第１および第２のセットを第１の方法で結合し、かつ基準信号の各セットの決定された信頼性の差分が予め決められたしきい値を下回る場合には、抽出されたデータ信号の第１および第２のセットを第２の方法で結合する請求項１５、１６、１７、１８、１９、２０または２１記載の方法。
【請求項２３】
前記結合する第１の方法は最大比率結合（ＭＲＣ）を実行する請求項２２記載の方法。
【請求項２４】
前記結合する第１の方法は等利得結合（ＥＧＣ）を実行する請求項２２記載の方法。
【請求項２５】
前記結合する第２の方法は信号の選択を実行する請求項２２、２３または２４記載の方法。
【請求項２６】
前記決定する工程は、抽出された基準信号を濾波することをさらに含む請求項１５、１６、１７、１８、１９、２０、２１、２２、２３、２４または２５記載の方法。
【請求項２７】
直交周波数分割多重（ＯＦＤＭ）信号を受信するための請求項１５、１６、１７、１８、１９、２０、２１、２２、２３、２４、２５または２６記載の方法。
【請求項２８】
添付の図面に関連して実質的に本明細書で説明された受信機。
【請求項２９】
添付の図面に関連して実質的に本明細書で説明されたマルチ搬送波信号を受信する方法。
【発明の詳細な説明】
【０００１】
本発明は受信機に関し、より特定的には改良されたダイバーシティ受信機に関する。
【０００２】
直交周波数分割多重（ＯＦＤＭ）式送受信は、多くのタイプの放送システムで使用されている確立された技術である。ＯＦＤＭは、多くの地上デジタル・ビデオ放送（ＤＶＢ−Ｔ）システムにおいて変調方法として採用されている。ＤＶＢ−Ｔの仕様（ＥＴＳＩ　ＥＮ　３００　７４４）はその送信特性のさらなる詳細を提示しており、本明細書に参照用として編入されている。
【０００３】
ＯＦＤＭは、情報が多数の別々の周波数の搬送波上で伝送される方式である。送信される情報は分割され、情報の一部が各搬送波上で伝送される。ＯＦＤＭ受信機は、搬送波の各々から情報の一部を受信し、これらを再度結合してもとの信号を再生する。ＯＦＤＭ信号は、特に劣悪なチャネル環境において自らを極めて弾性に富むものにするという特性を有している。しかしながら、ＯＦＤＭ送受信をさらに向上させ得る改良が今も求められている。これは特に、移動式および携帯式受信機の場合に有益である。
【０００４】
環境によっては、マルチパス反射またはシャドーイングに曝される場合のように、幾分かの搬送波は低電力で受信される可能性がある。こうしたケースでは、ダイバーシティ受信機により約３ｄＢないし６ｄＢの改善をもたらすことができる。６ｄＢという値は、通信チャネルが苛酷なマルチパス・フェージング下にありかつ移動受信状態にあるケースに関連している。ダイバーシティ受信機は、効果的には、各々がその固有のアンテナを有する２つ以上の別々の受信機またはダイバーシティ・ブランチを備えている。各ダイバーシティ・ブランチからの受信された各搬送波セットは、つぎに、復調を実行できるようなよりロバストな搬送波セットを生成する試みにおいて、つぎの３つの一般的な結合方法、すなわち最大比率結合（ＭＲＣ）、搬送波選択（ＣＳ）または等利得結合（ＥＧＣ）のうちの１方法を使用して結合される。
【０００５】
雑音レベルが両ダイバーシティ・ブランチで同じであるか、または高い信頼度で決定されていれば、純粋最大比率結合が理想的である。加えて、各搬送波におけるチャネル・レベルに関する正確な認識も必要とされる。移動端末においては、信号の歪みは付加的雑音のみでなくドップラー効果からももたらされる。また、低レベル搬送波の電力の推定はより高い電力の搬送波の場合ほど正確でない点も問題である。電力推定の誤差は、純粋最大比率結合の性能を低下させる。低電力搬送波の場合は、ドップラー効果による影響もまたより大きくなる。
【０００６】
したがって、本発明の目的の一つは、改良されたダイバーシティ受信機を提供することにある。
【０００７】
［発明の開示］
本発明の第１の態様によれば、各々がマルチ搬送波信号からデータおよび基準信号を抽出すべく作動可能であり、これにより抽出されたデータおよび基準信号の第１および第２のセットを生成する第１および第２のダイバーシティ・ブランチを有する、データおよび基準信号を伝送するマルチ搬送波信号を受信するための受信機が提供され、本受信機は、抽出された基準信号の各セットから、抽出された基準信号の信頼性の推定値を決定するためのプロセッサと、決定された推定値にしたがって、抽出されたデータ信号の第１および第２のセットからのデータ信号を結合させるためのコンバイナとを備えている。
【０００８】
本発明の第２の態様によれば、各々がマルチ搬送波信号からデータおよび基準信号を抽出すべく作動可能であり、これにより抽出されたデータおよび基準信号の第１および第２のセットを生成する第１および第２のダイバーシティ・ブランチを有する受信機でデータおよび基準信号を伝送するマルチ搬送波信号を受信する方法が提供され、本方法は、抽出された基準信号の各セットから、抽出された基準信号の信頼性の推定値を決定することと、決定された推定値にしたがって、抽出されたデータ信号の第１および第２のセットからのデータ信号を結合させることを含んでいる。
【０００９】
本発明は、ダイバーシティ・ブランチからのデータ信号が結合されることが可能な改良された方法を効果的に提供する。抽出された基準値を濾波することにより、任意の誤った基準値による影響は大幅に低減される。さらに、データ信号の結合は、推定された各搬送波の信頼度に依存して多くの異なる方法で実行される。この方法では、誤った搬送波または妨害された搬送波が、影響を受けていない搬送波に過度に影響を及ぼすことはない。こうしたシステムは、ドップラー効果による性能低下が一般的である移動受信機に特に効果的である。本発明は、先行技術によるダイバーシティ受信機よりも改良された性能を提供する。
【００１０】
［発明を実施するための最良の形態］
つぎに、添付の図面を参照して本発明を例示目的で説明する。
【００１１】
図１は、先行技術によるダイバーシティ受信機の一例１００を示すブロック図である。ダイバーシティ受信機１００は、事実上２つの別々のＯＦＤＭ受信機である２つのダイバーシティ・ブランチ１１８および１２０を備えている。ブランチ１１８および１２０の機能は同等のものであるため、以下、ブランチ１１８についてのみ説明する。
【００１２】
パイロット値およびデータ値を含むＯＦＤＭ信号１０２は、高速フーリエ変換（ＦＦＴ）モジュール１０４によって受信され、このモジュール１０４は受信されたパイロット値およびデータ値をデマップ（変換）して抽出されたパイロット（または基準）値およびデータ値を生成する。チャネル推定器１０８は、各搬送波ロケーションにおけるチャネル伝達関数の振幅および位相に関する情報を提供する。本チャネル推定器は、基準搬送波のロケーションのみに関する情報を提供する場合もあれば、結果を補間してあらゆる搬送波の位置に関する情報を提供する場合もある。
【００１３】
ソフトビット発生器１０６は、抽出された記号データからソフトビット・データ値を発生させる。典型的には、抽出されたデータ値の各々について４ビットのソフトデータ値が生成される。チャネル推定器１０８によって供給されたチャネル推定値は、任意のチャネル歪みを補正するためにソフトビット発生器１０６に供給される。これにより、ソフトビット発生器１０６はより正確なソフトデータ値を供給することができる。
【００１４】
補正されたチャネルのソフトデータ値は、ダイバーシティ・ブランチ１２０によって発生されたソフトデータ値と共に加算または最大比率結合（ＭＲＣ）モジュール１１０に入力される。ＭＲＣモジュールは、向上した精度を提供するために、ダイバーシティ・ブランチ１１８および１２０の各々からの各ソフトデータ値を結合する。
【００１５】
結合されたデータ値は、つぎにデインタリーバ１１２によってデインタリーブされ、さらにビタビ・デコーダ１１４で復調されて出力信号１１６が生成される。
【００１６】
図２は、本発明の第１の態様によるダイバーシティ受信機２００のブロック図である。ダイバーシティ受信機２００は、２つのダイバーシティ・ブランチ２１８および２２０を備えている。これらのダイバーシティ・ブランチは同等のものであるため、以下、ブランチ２１８についてのみ説明する。
【００１７】
パイロット値およびデータ値を含むＯＦＤＭ信号２０２は、高速フーリエ変換（ＦＦＴ）モジュール２０４によって受信され、このモジュール２０４は受信されたパイロット値およびデータ値をデマップ（変換）して抽出されたパイロット（または基準）値およびデータ値を生成する。チャネル推定器２０８は、抽出されたパイロット値を使用してチャネル歪みの推定値を供給する。ソフトビット発生器２０６は、抽出された記号データからソフトビット・データ値を発生させる。典型的には、抽出されたデータ値の各々について４ビットのソフトデータ値が生成される。チャネル推定器２０８によって供給されたチャネル推定値はソフトビット発生器２０６に供給され、任意のチャネル歪みが補正される。これにより、ソフトビット発生器２０６はより正確なソフトデータ値を供給することができる。
【００１８】
チャネル推定器は、任意のチャネル歪みに関する受信された基準信号を補正し、補間プロセスによって各データ値に対応する基準値を生成する。補間された各基準値は、データ値に対応するチャネルの特性の指示を提供する。
【００１９】
補正されたチャネルの基準値はチャネル推定器２０８から出力され、フィルタ２２２によって濾波される。濾波された基準値はルータ２２４に供給され、ルータ２２４は、一方または双方の搬送波値をコンバイナ２１０に経路指定するかどうかを決定する。フィルタ２２２およびルータ２２４については、後にさらに詳しく説明する。
【００２０】
コンバイナ２１０は、ルータ２２４から受信された搬送波値にしたがってダイバーシティ・ブランチ２１８および２２０双方からのソフトデータ値を結合させる。
【００２１】
結合されたデータ値は、つぎにデインタリーバ２１２によってデインタリーブされ、さらにビタビ・デコーダ２１４で復調されて出力信号２１６が生成される。ある代替実施形態では、ソフトビット発生器２０６はコンバイナ２１０の後に配置されてもよい。
【００２２】
フィルタ２２２は、多数の基準値について各基準値の値を「平均する」ことにより、歪曲された、または劣化したパイロット値に起因して発生するチャネル推定値における偶発的誤差の影響を低減させる。このような偶発的誤差は、特に、比較的長いマルチパス遅延差に曝されるチャネルのような頻繁な増減変動を有するチャネル伝達関数によって多くの状況で発生する。フィルタは基準値上に移動平均ウィンドウ（ｓｌｉｄｉｎｇ ｗｉｎｄｏｗ）として効果的に作用し、あらゆる偶発的な誤った基準値を平滑化する。
【００２３】
フィルタ２２２では、振幅ｃｋを有する各搬送波ｋについて信頼レベルｃｃｋが計算される。ある好適な実施形態では、信頼レベルは下記のように計算される。
ｃｃｋ＝メジアン（ｃｋ−ｍ，ｃｋ−ｍ＋１，．．．，ｃｋ，．．．，ｃｋ＋ｍ）      式（１）
ただし、ｃｋ−１およびｃｋ＋１は隣接する搬送波である。これらは、振幅および位相情報の双方を含む複素数値である。さらに、現在の搬送波より上および下のｍ個の搬送波も利用される。好適には、ｍは１から７までの小さい値であり、かつ中央値を求めるプロセスを単純にするために奇数であることが好ましい。代替として偶数の使用も可能であるが、フィルタの複雑性は僅かに増大する。濾波の効果は、あらゆる異常値を平滑化することにある。
【００２４】
濾波された基準値は、もう一方のダイバーシティ・ブランチ２２０からの対応する濾波された基準値と共にルータ２２４へ供給される。
【００２５】
ルータ２２４は、各ダイバーシティ・ブランチからの対応する基準値の信頼レベルを比較する。この比較の結果にしたがって、各ダイバーシティ・ブランチからの各基準値に対応するデータ値が、コンバイナ２１０において多くの方法のうちの１つの方法により結合される。
【００２６】
信頼レベルの差が所定のしきい値Ｔを上回っていれば、低い方の信頼レベルを有するブランチが、例えば送信のあいだにドップラー・シフトに起因して劣化されていたものと思われる。この場合は、２つのブランチのうちの良質である方のみがコンバイナ２１０へ経路指定され、コンバイナ２１０は単により高い信頼レベルを有する信号を選択する。コンバイナ２１０はまた、選択された信号に付加的な加重（重要度）を与える場合がある。
【００２７】
信頼レベルの差がしきい値Ｔを下回っていれば、何れのブランチでも受信された現行基準値が送信のあいだに干渉によって大きくは影響されなかったものと思われる。この場合は、各ダイバーシティ・ブランチからの信号がコンバイナ２１０へと経路指定され、加重平均を使用して結合される。
【００２８】
加重平均値を計算することのできる一方法は、下記の通りである。
【００２９】
【数１】
2004502327.tif 000003
【００３０】
ただし、ｃｋ（ｎ）はダイバーシティ・ブランチｎからの搬送波ｋに関する基準値であり、ｙｋ（ｎ）はソフトビット・データ値である。
【００３１】
代替として、単に等利得結合（ＥＧＣ）を使用し、例えば両ブランチに対して１または０．５の加重値を使用する方法もある。
【００３２】
したがって、所定の搬送波の信頼レベル差が小値であれば、コンバイナ２１０において、各ダイバーシティ・ブランチからの搬送波の最大比率結合（ＭＲＣ）またはＥＧＣが実行される。信頼レベルの差が大きければ、搬送波の選択が行なわれ、コンバイナは最強の信号を選択し、これに付加的な加重が加えられる可能性がある。
【００３３】
ある代替実施形態では、フィルタ２２２は、多数の基準値の平均値を計算する。さらに他の実施形態では、フィルタ２２２において信頼係数の算出に使用される基準値の数ｍがチャネル条件の特性に依存して動的に変えられる。このような特性は、チャネル推定器２０８によって取得されることが可能である。例えば、妨害された送信チャネルでは、使用される基準値の数ｍを増加させて任意の歪曲された基準値による影響を広域に拡散させることができる。代替として、極めてクリーンなチャネルでは、基準信号の数ｍを減少させることができる。
【００３４】
当業者には、フィルタ２２２により線形および非線形の両方の濾波操作を含む他の濾波操作が実行され得ることも認識されるであろう。フィルタ２２２は、例えばマイクロプロセッサ、デジタル信号プロセッサまたは他の適切なプロセス手段を使用して実施されることが可能である。当業者には、本明細書に説明された発明的概念を逸脱することなく他の加重および結合スキームを使用可能であることも認識されるであろう。また、本発明はＯＦＤＭおよびＤＶＢ−Ｔ技術に関連して説明されているが、任意の離散的マルチトーンまたはマルチ搬送波信号にも等しく適用可能であることが認識されるであろう。さらに、さらなるダイバーシティ・ブランチを追加し、上述の通りの本発明にしたがって各ブランチからの結果を結合し、濾波することも可能である。
【図面の簡単な説明】
【図１】
先行技術によるダイバーシティ受信機の一例を示すブロック図である。
【図２】
本発明の第１の態様によるダイバーシティ受信機のブロック図である。
【図１】
2004502327.tif 000004
【図２】
2004502327.tif 000005
【国際公開パンフレット】
2004502327.tif 000006
2004502327.tif 000007
2004502327.tif 000008
2004502327.tif 000009
2004502327.tif 000010
2004502327.tif 000011
2004502327.tif 000012
2004502327.tif 000013
2004502327.tif 000014
2004502327.tif 000015
2004502327.tif 000016
2004502327.tif 000017
2004502327.tif 000018
2004502327.tif 000019
2004502327.tif 000020
【国際公開パンフレット（コレクトバージョン）】
2004502327.tif 000021
【国際調査報告】
2004502327.tif 000022
2004502327.tif 000023